(57)【特許請求の範囲】
【請求項１】
頂部に噴出口(4) を設けるとともに、下端を開口した有頂筒状をなすキャップ本体(2) と、キャップ本体(2) に開閉可能に設けた蓋体(3) とを備え、蓋体(3) の後部下端をキャップ本体(2) の後部上端に薄肉ヒンジにより回動可能に連結し、キャップ本体周壁(5) から頂壁(6) 縁部に亘る帯状の窓孔(16)内に立設するとともに、閉蓋状態の蓋体周壁(10)の内側に於いて開蓋を防止する如く上端を係合し、且つ、前記係合を解除すべく内方への押込みが可能な係合片(15)を設けてなる合成樹脂製の噴出キャップであって、上記係合片(15)形成位置の蓋体周壁(10)外面の上端部に、下面が蓋体周壁(10)前面に連続する湾曲面をなす押上用の突部(19)を設けるとともに、係合片(15)を充分押し込んだ際に、係合片(15)の前面が蓋体周壁(10)の前面と略同位置となる如く構成したことを特徴とする噴出キャップ。
【発明の詳細な説明】
【０００１】
【発明の属する技術分野】
本発明は噴出キャップに関する。
【０００２】
【従来の技術】
噴出キャップとして有頂筒状をなすキャップ本体と、該本体に開閉可能に設けた蓋体とからなる合成樹脂製のものが極一般的な形態として知られている。これらは、容器体等の口部に装着し、キャップ本体頂部に設けた噴出口より液を噴出する如く構成したものである。
【０００３】
これら従来の噴出キャップでは開蓋操作が容易であるため、蓋体の不正開放や幼児によるいたずら等がしばしば発生し、噴出口周囲の汚れの発生とか、内容物の不正流出とか、内容液の品質劣化等が生じるという問題点があった。
【０００４】
そこでこの様な問題点を解決すべく、優れた噴出キャップが提案されている。このキャップは蓋体の開放をキャップ本体に対する一定の操作を経なければ達成できないようにし、不正開放発生を防止するとともに、確実な密閉性を得られるようにしたものである。
【０００５】
該噴出キャップは、容器の口部に密に組み付く有頂筒形状をなす組み付き部を有し、頂板の周端縁から延設した外鍔の延出端から短筒状の垂下筒片を垂下設し、該垂下筒片の下端から外鍔状の外フランジを介してスカート筒を垂下設し、外鍔と垂下筒片と外フランジとスカート筒との組み合わせ物の側部に切欠を設けて弾片を起立状に残存形成し、該弾片の上端に係止片を突出設したキャップ本体と、該キャップ本体の後端部にヒンジ部により開閉回動可能にヒンジ結合され、垂下筒片に外嵌する周壁の側部に、係止片が内方から嵌入する係止孔を設けた蓋体とから構成された合成樹脂製のものである。
【０００６】
上記噴出キャップは、弾片を押し込んで係止片を係止孔から外した後、操作形態の異なる開蓋を行うため、不正使用や誤使用の虞が少なく、蓋体が妄りに開姿勢となることがない。その結果、内容液が不正に流出して周囲を汚すとか、蒸発により内容液が劣化するとか、噴出口の周囲に誇り等が付着する等の不都合の発生を確実に防止することができる等の格別の効果を発揮できるものである。
【０００７】
【発明が解決しようとする課題】
しかしながら、不正使用や誤使用をあまり考慮する必要のない状態での使用の場合には、いちいち弾片を押した後別の手で開蓋する煩わしさが伴い、また片手が不自由な人が使用する際にも不便である。
【０００８】
本発明は上記した点に鑑みなされたもので、上記した従来の噴出キャップの如き効果を発揮することができるとともに、簡単な操作により片手での開蓋が容易に行える噴出キャップを提案するものである。
【０００９】
第１の手段として、以下の通り構成した。即ち、頂部に噴出口４を設けるとともに、下端を開口した有頂筒状をなすキャップ本体２と、キャップ本体２に開閉可能に設けた蓋体３とを備え、蓋体３の後部下端をキャップ本体２の後部上端に薄肉ヒンジにより回動可能に連結し、キャップ本体周壁５から頂壁６縁部に亘る帯状の窓孔16内に立設するとともに、閉蓋状態の蓋体周壁10の内側に於いて開蓋を防止する如く上端を係合し、且つ、前記係合を解除すべく内方への押込みが可能な係合片15を設けてなる合成樹脂製の噴出キャップであって、上記係合片15形成位置の蓋体周壁10外面の上端部に、下面が蓋体周壁10前面に連続する湾曲面をなす押上用の突部19を設けるとともに、係合片15を充分押し込んだ際に、係合片15の前面が蓋体周壁10の前面と略同位置となる如く構成した。
【００１０】
【発明の実施の形態】
以下、本発明の実施の形態を図面を参照して説明する。
【００１１】
本発明の噴出キャップ１は合成樹脂製で、キャップ本体２と、蓋体３とを備えている。
【００１２】
キャップ本体２は、頂部に噴出口４備えた有頂で下端を開口した筒状をなし、容器体等の口部に嵌着して使用する。図示例では、横長楕円筒状の周壁５上端縁より頂壁６を延設するとともに、頂壁６前部に噴出口４を開口している。この噴出口４は、ドーム状の突部の前面に開口している。また、周壁５の上端部は内向きフランジ７を介して縮径した縮径部5aに形成しており、この縮径部5a外周に蓋体３の周壁が嵌合する如く構成している。更に、頂壁６裏面中央部に噴出口４と連通する短いシール筒８と、該シール筒８外方所定位置に長い嵌合筒９を垂設しており、両筒間に容器体等の口部を液密に嵌合する如く構成している。
【００１３】
蓋体３は、キャップ本体２に開閉可能に設けたもので、その後部下端をキャップ本体２の後部上端に薄肉ヒンジ等により回動可能に連結したものが採用される。また、単に薄肉ヒンジ等により回動可能に連結したものの外に、蓋体３を所定角度まで開くと開方向へ付勢されてそれ以降自動的に開蓋し、また、開蓋状態から所定角度まで閉じると閉方向へ付勢されてそれ以降自動的に閉蓋する所謂弾性反転機構を備えた連結手段を用いたものも使用できる。
【００１４】
図示例に於いて蓋体３はキャップ本体２と合成樹脂により一体に形成されており、キャップ本体２の縮径部5a外周に下端を嵌合させた周壁10の上端縁より頂壁11を延設した伏皿状をなし、周壁10の後部下端とキャップ本体２の後部上端を薄肉ヒンジ12により連結するとともに、その両側に於いてそれぞれ上下端縁を薄肉ヒンジで連結した一対の弾性板13を設けており、これら薄肉ヒンジと弾性板とで公知の弾性反転機構を構成している。更に、頂壁15裏面所定位置には上記ドーム状突部に嵌合して噴出口４を閉塞する栓筒14を一体に垂設している。
【００１５】
本発明では、蓋体３の不正開放の防止等の目的でキャップ本体２に係合片15を設けている。該係合片15は、キャップ本体周壁５から頂壁６縁部に亘り帯状に画成するとともに、閉蓋状態の蓋体周壁とその内側に於いて開蓋を防止する如く上端を係合し、且つ、前記係合を解除すべく内方への押込みが可能に構成している。
【００１６】
図示例では、キャップ本体前部に於いて、周壁５下部より頂壁６縁部に至る帯状の窓孔16を備え、該窓孔16内に係合片15を押込み可能に立設している。係合片15は、窓孔16下面に下端縁を一体に連結したもので、キャップ本体周壁５に沿って立設した縦長板状をなし、上端部外面を蓋体３の嵌合が可能に内方へ縮径し、該縮径部分外面に係合突起17を突設し、該係合突起17を、蓋体３の周壁10前部所定位置に穿設した係合孔18に係合可能に構成している。尚、この係合孔18に代えて係合凹部を設けても良い。
【００１７】
また、本発明では上記係合片15形成位置の蓋体周壁10外面に押上用の突部19を突設するとともに、係合片15を押込んだ指の上方へのスライドを可能に且つ該指による押上用の突部19を押上げての開蓋が可能に構成している。
【００１８】
上記突部19は、蓋体３の押上げが可能であれば、係合片15形成位置の蓋体周壁10外面のどの位置に突設しても良く、図１の実施例の如く、蓋体周壁10外面の上端部に設けることも、或いは図６の実施例に示す如く、蓋体周壁10外面の下端部に設けることも、或いはその中間部に設けることも可能である。また、その突部19の形態も、図１や図６に示す如き通常の突起形態のものに限らず、図７に示す如く、蓋体周壁10外面に形成した複数の突条形態の突部19b であっても良い。この場合には、突部前面を押圧しつつ摩擦力により蓋体３を開蓋する。また、これらを併用することも可能であり、例えば、複数の突条形態の突部19b の上方に突起状の突部19a を突設しても良い。
【００１９】
係合片15を押し込んだ指の上方へのスライドを可能に且つ上記突部19を押し上げての開蓋が可能な構成とは、上記突部19が蓋体周壁10下端部以外にある場合に、係合片15を充分押し込んだ際に、その前面が蓋体周壁10の前面と略同位置となる如く押し込み幅や肉厚などの各要件を調整する。また、上記突部19が蓋体周壁10の下端部にある場合には、係合片15を充分押し込んだ際に、その前面が突部19を押上げ可能な位置に存在する如く各要件を調整する。
【００２０】
上記の如き噴出キャップ１を使用する場合に付いて説明する。噴出キャップ１は、上記シール内筒８及び嵌合筒９間に容器体Ａ等の口部20を嵌着させて液密に装着する。使用に当たっては、係合片15を内方へ押込み、係合突起17を係合孔18から外した後、係合片15を押し込んだ指を上方へスライドさせ、突部19を押し上げることにより蓋体３を開き、液の噴出を行う。従って、通常は係合片15を押し込んだだけでは蓋体３は開かず、幼児のいたずらや、不用意な開蓋を防止することができ、一方、そのままの状態で指を上方へスライドさせれば片手での開蓋が可能であり、片方の手が不自由な人にも容易に開蓋できる如く構成している。使用後は係合突起17と係合孔18とを嵌合させて閉蓋することができる。尚、上記実施例では、噴出キャップ１を液の噴出の際に用いているが、液の注出の際に用いることも可能であり、その際には噴出口の形態等を変えることが望ましい。
【００２１】
【発明の効果】
以上説明した如く、本発明噴出キャップは、既述構成としたことにより、幼児等のいたずらによる不正開放を防止でき、液の不都合な漏出を防止できるものである。また、使用者が不正開放を心配する必要の無い人である場合には容易な蓋体３の開閉操作を行えるものであり、しかも、片手での開蓋操作を行えるものである。
【図面の簡単な説明】
【図１】本発明の一実施例を示す縦断面図である。
【図２】同実施例の開蓋状態の斜視図である。
【図３】同実施例の要部拡大縦断面図である。
【図４】同実施例の斜視図である。
【図５】同実施例の使用を説明する説明図である。
【図６】本発明の他の実施例を示す縦断面図である。
【図７】本発明の更に他の実施例を示す斜視図である。
【符号の説明】
２…キャップ本体，３…蓋体，４…噴出口，５…キャップ本体周壁，
６…キャップ本体頂壁，10…蓋体周壁，15…係合片，19…押上用の突部，
【図１】
0004141668.tif 000002
【図２】
0004141668.tif 000003
【図３】
0004141668.tif 000004
【図４】
0004141668.tif 000005
【図５】
0004141668.tif 000006
【図６】
0004141668.tif 000007
【図７】
0004141668.tif 000008